(57)【要約】【課題】インナーウェアーにおいて、着用するだけでマッサージ効果を十分に得られるようにする。【解決手段】ベースとなる平編領域１５内に編組織を異ならせるだけで同一糸を用いて形成した凸部領域１６が混在されてこの凸部領域１６で肌面へのマッサージ効果を奏効させる立体編み生地１０を用いる。上記凸部領域１６は、身体の丈方向へ長手方向を向けつつ互いに所定間隔をおいて横へ並設される複数本の縦凸条１７と、これら縦凸条１７の相互間を横繋ぎする方向で互いに所定間隔をおいて縦へ並設される複数本の横凸条１８とを有して全体で格子状に形成されており、これら縦凸条１７と横凸条１８との交差によって区画され升目状に点在する小スペース２０の全体のまとまりとして平編領域１５が確保されており、上記横凸条１８が縦凸条１７を中間においた両側で千鳥配置とされている。【選択図】      図１
2004277941.tif 000002
【特許請求の範囲】
【請求項１】
ベースとなる平編領域（１５）内に編組織を異ならせるだけで同一糸を用いて形成した凸部領域（１６）が混在されてこの凸部領域（１６）で肌面へのマッサージ効果を奏効させる立体編み生地において、
上記凸部領域（１６）は、身体の丈方向へ長手方向を向けつつ互いに所定間隔をおいて横へ並設される複数本の縦凸条（１７）と、これら縦凸条（１７）の相互間を横繋ぎする方向で互いに所定間隔をおいて縦へ並設される複数本の横凸条（１８）とを有して全体で格子状に形成されており、
これら縦凸条（１７）と横凸条（１８）との交差によって区画され升目状に点在する小スペース（２０）の全体のまとまりとして平編領域（１５）が確保されており、
上記横凸条（１８）が縦凸条（１７）を中間においた両側で千鳥配置とされていることを特徴とする立体編み生地。
【請求項２】
ベースとなる平編領域（１５）内に編組織を異ならせるだけで同一糸を用いて形成した凸部領域（１６）が混在されてこの凸部領域（１６）で肌面へのマッサージ効果を奏効させる立体編み生地において、
上記凸部領域（１６）は、身体の丈方向へ長手方向を向けつつ互いに所定間隔をおいて横へ並設される複数本の縦凸条（１７）と、これら縦凸条（１７）の相互間を横繋ぎする方向で互いに所定間隔をおいて縦へ並設される複数本の横凸条（１８）とを有して全体で格子状に形成されており、
これら縦凸条（１７）と横凸条（１８）との交差によって区画され升目状に点在する小スペース（２０）の全体のまとまりとして平編領域（１５）が確保されており、
個々の小スペース（２０）における非伸張時の内方寸法が縦凸条（１７）の相互間隔で８ｍｍ以上に保持されていると共に横凸条（１８）の相互間隔で５ｍｍ以上に保持されていることを特徴とする立体編み生地。
【請求項３】
前記凸部領域（１６）において、縦凸条（１７）は、凸を現す方とは裏面側となる面でウエール方向の全長にわたり形成するフロート編組織（２３）を２条以上横並べさせることによって隆起させたものであり、
これに対して横凸条（１８）は、凸を現す方とは裏面側となる面でウエール方向の一部に形成するフロート編組織（２４）をコース方向で複数本横並べさせつつ縦凸条（１７）相互間いっぱいに渡らせることによって隆起させたものであって、尚かつこの横凸条（１８）は、コース方向で横並べさせるフロート編組織（２４）相互がウエール方向へ少しずつ位置ズレされることで縦凸条（１７）に対して傾斜した形状になっており、
これらにより縦凸条（１７）と横凸条（１８）との交差によって区画され升目状に点在する平編領域（１５）用の小スペース（２０）が平行四辺形を呈していることを特徴とする請求項１又は請求項２記載の立体編み生地。
【請求項４】
請求項１乃至請求項３のいずれかに記載の立体編み生地（１０）が凸部領域（１６）を内向きにして一部又は全面的に使用されていることを特徴とするインナーウェアー。
【請求項５】
前記立体編み生地（１０）が統計的に脂肪の付きやすい箇所に対応させて設けられていることを特徴とする請求項４記載のインナーウェアー。
【請求項６】
前記インナーウェアー（１）がシャツ、キャミソール、ボディーウエア、パンツ、ガードル、スパッツ、タイツ、パンティストッキング、腹巻であることを特徴とする請求項４又は請求項５記載のインナーウェアー。
【発明の詳細な説明】
【０００１】
【発明の属する技術分野】
本発明は、立体編み生地及びインナーウェアーに関するものである。
【０００２】
【従来の技術】
ガードル、タンクトップ、タイツ、パンティストッキングなどのインナーウェアーにおいて、その内面側で着用者の肌に接触する部分に細かな凹凸を設けることにより、このうち凸部分でマッサージ効果を奏効させるようにしたものが各種、提案されている（例えば、特許文献１乃至特許文献５等参照）。
これらのインナーウェアーにおいて、内面側の凸部分は、凸を現す方とは裏面側となる面（ウェアー外面）で、ベースとなる平編領域内に部分的にタック編組織（特許文献１、２、５に相当）やフロート編組織（特許文献３、４に相当）等を組み入れ、その裏面側（ウェアー内面）で隆起させることで形成させていた。
【０００３】
ところで、このような凸部分は、上記のようにタック編組織やフロート編組織等で形成されるものであるからその一つ一つはヒダ状を呈した非常に細かいもの（太さにして爪楊枝程度に満たないもの）である。
そして、この細かい凸部分の設け方としては、インナーウェアーの内面略全面にわたり隙間無く散りばめるもの（特許文献１、４、及び５に相当）、波形又は線状に連ねたかたちで且つ多数条設けるもの（特許文献２に相当）、狭い範囲に密集させることで斑点状に形成させたうえでこの斑点を千鳥模様又は市松模様的に散りばめるもの（特許文献３に相当）などのパターンが採用されていた。
【０００４】
【特許文献１】
特許第３２０７８０８号公報
【特許文献２】
特開２００１−３３６００１号公報
【特許文献３】
特開２００２−１４６６５４号公報
【特許文献４】
特許第３２０９７３８号公報
【特許文献５】
特開２００３−１３３４１号公報
【０００５】
【発明が解決しようとする課題】
従来のインナーウェアーにおいて、その内面への凸部分の設け方としては上記したように全面的パターン、多数条的パターン、斑点状パターン等、種々のパターンが案出されていたが、そのいずれも、凸部分相互は密集状態になっている。そのため、このインナーウェアーの着用者に対し、凸部分が接触したときの面圧は低くなり、それだけこの凸部による刺激感も乏しいといったことがあった。当然に、この刺激感が乏しければ所期の目的とされるマッサージ効果もそれだけ効果の低いものと言わざるを得なくなる。
【０００６】
本発明は、上記事情に鑑みてなされたものであって、マッサージ効果を十分に得られるようにした立体編み生地とこの立体編み生地より成るインナーウェアーとを提供することを目的とする。
【０００７】
【課題を解決するための手段】
前記目的を達成するために、本発明は次の手段を講じた。
即ち、本発明に係る立体編み生地１０は、図５及び図６に示すように、ベースとなる平編領域１５内に凸部領域１６が混在されたもので、この凸部領域１６で肌面へのマッサージ効果を奏効させるものである。
ここにおいて凸部領域１６は、平編領域１５と編組織を異ならせただけのものであって、平編領域１５と同一糸を用いて形成されたものとする。
【０００８】
そして、この凸部領域１６は、複数本の縦凸条１７と複数本の横凸条１８とを有して、これら全体で格子状に形成されたものである。
縦凸条１７は、着用者の身体の丈方向へ長手方向を向けつつ、互いに所定間隔をおいて横へ並設されたものである。
これに対し、横凸条１８は、縦凸条１７の相互間を横繋ぎする方向で互いに所定間隔をおいて縦へ並設されたものである。
従って、これら縦凸条１７と横凸条１８との交差により、升目状の小スペース２０が区画形成されることになる。そしてこの小スペース２０は、凸部領域１６の全域に点在する配置となる。
【０００９】
ここでこれら小スペース２０は、その全体的なまとまりとして、凸部領域１６内での平編領域１５を形成することになる。すなわち、これが「平編領域１５内に凸部領域１６が混在する」ことの意味である。
上記横凸条１８は、縦凸条１７を中間においた両側で千鳥配置とするのが好適である。
また、個々の小スペース２０は、非伸張時にあるとき、その内法寸法が、縦凸条１７の相互間隔で８ｍｍ以上に保持されていると共に横凸条１８の相互間隔で５ｍｍ以上に保持されているものとするのが好適である。
【００１０】
このような構成であるため、平編領域１５内で凸部領域１６が占める密度差（縦凸条１７や横凸条１８の突出面積）は比較的抑えられたかたちとなる。
従って、この立体編み生地１０を採用して成るインナーウェアー１において、これの着用者に対して縦凸条１７や横凸条１８が接触したときの面圧は高くなり、それだけこれら縦凸条１７や横凸条１８による刺激感も強くなる。
なお、凸部領域１６において、縦凸条１７は、凸を現す方とは裏面側となる面でウエール方向の全長にわたり形成するフロート編組織２３を２条以上横並べさせることによって隆起させたものとすればよい。
【００１１】
これに対して横凸条１８は、凸を現す方とは裏面側となる面でウエール方向の一部に形成するフロート編組織２４をコース方向に複数本横並べさせつつ、縦凸条１７相互間いっぱいに渡らせることによって隆起させたものとすればよい。
またこの横凸条１８は、コース方向で並設させるフロート編組織２４相互がウエール方向へ少しずつ位置ズレされることで、縦凸条１７に対して傾斜した形状になったものとすればよい。
すなわち、この場合、縦凸条１７と横凸条１８との交差によって区画され升目状に点在する平編領域１５用の小スペース２０は、平行四辺形を呈していることになる。
【００１２】
一方、本発明に係るインナーウェアー１は、上記立体編み生地１０が、凸部領域１６を内向きにして一部又は全面的に使用されているものであるが、この場合、この立体編み生地は、統計的に脂肪の付きやすい箇所（例えば大腿まわりや二の腕まわり、下腹部周辺など）に対応させて設けるものとすればよい。
このインナーウェアー１は、シャツ、キャミソール、ボディーウエア、パンツ、ガードル、スパッツ、タイツ、パンティストッキング、腹巻として実施することができる。
【００１３】
【発明の実施の形態】
以下、本発明の実施の形態を、図面に基づき説明する。
図７及び図８は、本発明に係る立体編み生地１０より成るインナーウェアー１の第１実施形態を示している。
この第１実施形態のインナーウェアー１はガードルであって、図７が前身頃側から示してあり図８が後身頃側から示してある。
このインナーウェアー１ではウエスト部５と左右の裾部６とに伸縮性の豊富なゴム帯７が設けられている。
【００１４】
そして、前身頃（図７）側では、ウエスト部５と左右のビキニラインとで囲まれた逆三角形状の腹部対応ゾーン８を除いた部分で、本発明に係る立体編み生地１０が採用されている。
なおこの腹部対応ゾーン８では、その内面に、長手方向を横方向へ向けた凸条（図７ではこの横方向凸条の形成で生じる横筋９を示している）が縦方向へ所定間隔をおいて複数本形成されており、着用者の腹部へマイルドなマッサージを行う構成となっている。この横方向凸条（横筋９参照）は、図６に関して後述する縦凸条１７（２条以上のフロート編組織２３）と同じ編組織により形成されるものである。
【００１５】
また、後身頃（図８）側では、ウエスト部５の直下の横一文字部分とその左右中心から下方へ延びる縦一文字部分とで全体としてＴ字状を呈している尻部対応ゾーン１１を除いた部分で、本発明に係る立体編み生地１０が採用されている。すなわち、この第１実施形態のインナーウェアー１において、立体編み生地１０は、着用者の腰のあたりを含め、大腿の付け根まわりを取り囲むように用いられている。
図１乃至図６は、この立体編み生地１０の一例を示している。
【００１６】
このうち図２は、この立体編み生地１０においてインナーウェアー１の内面へ向けられる側の面の要部拡大正面図であり、図１はこの図２（Ｃ部周辺）を斜視図で示したものである。
また、図３は図２のＡ−Ａ線拡大断面図、図４は図２のＢ−Ｂ線拡大断面図、図５は図２中におけるＣ部に相当する編組織の模式図、図６は図５中におけるＤ部に相当する編ループ拡大図である。
これらの図から明らかなように、この立体編み生地１０は、インナーウェアー１の内面へ向けられる側の面が、平編領域１５をベースとし、この平編領域１５内に凸部領域１６が混在されたものとなっている。
【００１７】
この凸部領域１６は、複数本の縦凸条１７と複数本の横凸条１８とを有している。
縦凸条１７は、着用者の身体の丈方向へ長手方向を向けつつ、互いに所定間隔をおいて横へ並設されている。
ここにおいて「着用者の身体の丈方向」は、着用者が起立姿勢をとっていると仮定したときその上下方向を言うものとする。従って着用者の胴体に対応する部分では背骨の方向に相当し、また足や腕に対応する部分ではそれらの長手方向に相当することになる。
【００１８】
これに対し、横凸条１８は、縦凸条１７の相互間を横繋ぎする方向で互いに所定間隔をおいて縦へ並設されている。従って着用者の胴体に対応する部分では胴回り方向に相当し、また足や腕に対応する部分では腕周り方向や足周り方向に相当することになる。
このような複数本の縦凸条１７と複数本の横凸条１８とが交差することで、この凸部領域１６は、その全体として格子状を呈したものとなっている。従って、この凸部領域１６内には、これら縦凸条１７と横凸条１８とによって升目状を呈した多数の小スペース２０が区画形成されることになる。
【００１９】
このような小スペース２０は、凸部領域１６内でその全域にわたり点在する配置となっている。
従って、これらの小スペース２０は、その全体的なまとまりとして平編領域１５を形成させていることになっている。
すなわち、このような凸部領域１６（縦凸条１７及び横凸条１８）のなりたちや平編領域１５（小スペース２０）のなりたちから、この立体編み生地１０は、平編領域１５内に凸部領域１６が混在していると言えるものである。
【００２０】
横凸条１８は、縦凸条１７を中間においた両側で千鳥配置とされている。
またこの横凸条１８は、縦凸条１７に対して直交するものではなく、傾斜した形状にしてある。この傾斜方向は、縦凸条１７を中心としてその左右で相対逆となるようにしてある。なお、図例では、縦凸条１７と横凸条１８との成す傾斜角（小さい方）を４５°とした。
このようなことから、縦凸条１７と横凸条１８との交差によって区画され升目状に点在することとなる各小スペース２０は、それぞれ平行四辺形を呈したものとなっている。
【００２１】
本実施形態において、各小スペース２０は、生地の非伸張時にあるとき、その内方寸法が、縦凸条１７の相互間隔（図２中のＷ寸法）で８ｍｍ以上、好ましくは１０ｍｍ以上に保持されたものとした。
また横凸条１８の相互間隔（図２中のＨ寸法）では、５ｍｍ以上に保持されたものとした。
そのため、平編領域１５内で凸部領域１６が占める密度差（縦凸条１７や横凸条１８の突出面積）は比較的抑えられたかたちとなっていることが明らかである。
【００２２】
平編領域１５（各小スペース２０）は、文字通り平編み（プレーン編み）によって形成されている。
これに対し、凸部領域１６（縦凸条１７及び横凸条１８）は、平編領域１５と編組織を異ならせた編みかたをすることによって形成されている。
すなわち、これら平編領域１５と凸部領域１６とは、同一糸で形成されていることになる。
凸部領域１６において、縦凸条１７や横凸条１８は、例えばフロート編組織やタック編組織等により形成されている。
【００２３】
なお、図５及び図６において、それぞれの上下方向が立体編み生地１０のウエール（編み目の縦列）を示しており、左右方向がコース（編み目の横列）を示している。
本実施形態において縦凸条１７は、凸を現す方とは裏面側となる面でウエール方向の全長にわたり形成するフロート編組織２３を２条以上横並べさせることによって隆起（図１、図３及び図４参照）させたものとした。
また横凸条１８は、凸を現す方とは裏面側となる面でウエール方向の一部に形成するフロート編組織２４をコース方向に複数本横並べさせつつ、このフロート編組織２４で縦凸条１７と縦凸条１７との相互間いっぱいに渡らせることによって全体的に隆起（図３及び図４参照）させたものとした。
【００２４】
図例では、各フロート編組織２４を１５個の連続ミスによって生じさせ、またこのフロート編組織２４を縦凸条１７相互間に１１本、横並べさせたものとしてある。
更に、これら横並べさせた各フロート編組織２４は、互いに隣り合うもの相互間においてウエール方向へ少しずつ（図例では２個のループずつとした）位置ズレされたものとしてある。これにより、上記したように横凸条１８が縦凸条１７に対して傾斜した形状を呈するようにさせてある。
【００２５】
なお、上記の説明から明らかなように、所定長さを有した複数本のフロート編組織２４を横並べさせることで横方向に長い横凸条１８を形成させているため、この横凸条１８は、縦凸条１７と比べると太く形成されていることになる。このことが、横凸条１８による肌へのマッサージ効果をより一層、強調させることに繋がる。
以上、説明したところから明らかなように、この立体編み生地１０を採用して成るインナーウェアー１では、これを着用した場合、平編領域１５内で凸部領域１６が占める密度差（縦凸条１７や横凸条１８の突出面積）は比較的抑えられていることに伴い、この凸部領域１６が肌と接触したときの面圧は高くなっている。
【００２６】
また、凸部形状が複雑で左右対称の傾斜した千鳥配置となっているため、着用者の様々な動きに対応できるものである。
そのため、それだけこの凸部領域１６による刺激感も強くなり、肌面へのマッサージ効果も高い効果が期待できるものとなる。このマッサージ効果により、血流の促進、神経やツボの刺激、脂肪の燃焼、肌の活性化などが図られ、痩せの効果を期待することにも繋がるものである。
なお、図７及び図８に示したインナーウェアー１において、腹部対応ゾーン８や尻部対応ゾーン１１と立体編み生地１０との間は、縫製等により継ぎ合わせるものではなく、編成過程の所定部位で編み方を異ならせるようにして連続させるのがよい。
【００２７】
これにより、インナーウェアー１としての一体化を図り、もって着心地や外観の向上、編成作業効率の高効率化、コストダウンなどが得られることとなる。
図９は、本発明に係るインナーウェアー１の第２実施形態を示している。
この第２実施形態のインナーウェアー１はパンティストッキングである。そして立体編み生地１０は、パンティ部で採用されている。
この立体編み生地１０についての構造、作用効果については上記した第１実施形態の場合と略同様であるため、ここでの詳説は省略する。
【００２８】
図１０は、本発明に係るインナーウェアー１の第３実施形態を示している。
この第３実施形態のインナーウェアー１はシャツである。そして、襟ぐりや裾まわり等の縁取り部分を除いて、そのシャツ全体に立体編み生地１０が採用されているものとしてある。
この立体編み生地１０についての構造、作用効果については上記した第１実施形態の場合と略同様であるため、ここでの詳説は省略する。
図１１乃至図１３は、本発明に係るインナーウェアー１の第４実施形態を示している。
【００２９】
この第４実施形態のインナーウェアー１は腹巻である。そして、上部ゴム帯部３０や下部ゴム帯部３１を除いて、その全体に立体編み生地１０が採用されているものとしてある。
この第４実施形態では、立体編み生地１０として、凸部領域１６内に形成される個々の小スペース２０が小さい細目サイズのもの（１０Ａ）と、個々の小スペース２０が大きい粗目サイズのもの（１０Ｂ）との二種類が採用されている。
これら細目サイズの立体編み生地１０（１０Ａ）と粗めサイズの立体編み生地１０（１０Ｂ）とは、縫い合わせによって結合されたものではなく、編み方を変えることで互いに一体的に編成されたものである。
【００３０】
粗目サイズの立体編み生地１０（１０Ｂ）は、腹巻としての下部側に位置付けられ且つ一周しない範囲で設けられ、それ以外の部分に細目サイズの立体編み生地１０（１０Ａ）が設けられ、これら全体で、上部径がややしぼんだ円筒形状を呈するようになっている。
粗めサイズの立体編み生地１０（１０Ｂ）の高さ寸法ｔは、上部ゴム帯部３０と下部ゴム帯部３１とを除いた腹巻の高さ寸法Ｔに対し、その半分以上を占めるようになっている（即ちＴ≦２ｔの関係）。
【００３１】
またこの粗めサイズの立体編み生地１０（１０Ｂ）が腹巻の周方向で一周しないことで、細目サイズの立体編み生地１０（１０Ａ）が腹巻の高さ寸法Ｔ全部に行き渡るようになる縦帯状部分３２は、着用者の背中位置に対応する位置付けとされる。
この縦帯状部分３２を背中位置へ向けるように、着用者へ注意を促すため、この縦帯状部分３２とは対称位置に、正面を現すタグ３３を設けてある。
このような構成とすることで、着用者の腹部に対するマッサージ効果がほどよく作用するようにしてある。
【００３２】
なお、細目サイズの立体編み生地１０（１０Ａ）における小スペース２０の大きさを、縦凸条１７の相互間隔（図２中のＷ寸法）で８ｍｍとし横凸条１８の相互間隔（図２中のＨ寸法）で３〜４ｍｍとしたのに対し、粗めサイズの立体編み生地１０（１０Ｂ）における小スペース２０の大きさを、縦凸条１７の相互間隔（図２中のＷ寸法）で１２ｍｍとし横凸条１８の相互間隔（図２中のＨ寸法）で５〜６ｍｍとした。
この立体編み生地１０自体の細部構造、作用効果については上記した第１実施形態の場合と略同様であるため、ここでの詳説は省略する。
【００３３】
ところで、本発明は、上記した各実施形態に限定されるものではなく、実施の形態に応じて適宜変更可能である。
例えばインナーウェアー１としては、上記の他、タンクトップ、キャミソール、ボディーウエア、パンツ、スパッツ、タイツ、腹巻等としても適用可能である。
従って、立体編み生地１０を使用する箇所としても何ら限定されるものではない。
【００３４】
立体編み生地１０に関する説明で記載した各部寸法や角度などの具体的数値は、適宜変更可能である。
【００３５】
【発明の効果】
以上の説明から明らかなように、本発明に係る立体編み生地及びこの立体編み生地より成るインナーウェアーであれば、マッサージ効果を十分に得られるようになる。
【図面の簡単な説明】
【図１】図２のＣ部等に相当する斜視図である。
【図２】本発明に係るインナーウェアーで採用する立体編み生地の一例についてインナーウェアーとしてその内面へ向ける側の面を示した要部正面図である。
【図３】図２のＡ−Ａ線拡大断面図である。
【図４】図２のＢ−Ｂ線拡大断面図である。
【図５】図２中のＣ部に相当する編組織の模式図である。
【図６】図５中のＤ部に相当する編ループ拡大図である。
【図７】本発明に係る立体編み生地より成るインナーウェアーの第１実施形態を示した正面図である。
【図８】図７に対応する背面図である。
【図９】本発明に係る立体編み生地より成るインナーウェアーの第２実施形態を示した正面図である。
【図１０】本発明に係る立体編み生地より成るインナーウェアーの第３実施形態を示した正面図である。
【図１１】本発明に係る立体編み生地より成るインナーウェアーの第４実施形態を示した斜視図である。
【図１２】図１１に対応する側面図である。
【図１３】第４実施形態のインナーウェアーを着用した様子を着用者の背中側から示した斜視図である。
【符号の説明】
１    インナーウェアー
１０    立体編み生地
１５    平編領域
１６    凸部領域
１７    縦凸条
１８    横凸条
２０    小スペース
２３    フロート編組織
２４    フロート編組織
【図１】
2004277941.tif 000003
【図２】
2004277941.tif 000004
【図３】
2004277941.tif 000005
【図４】
2004277941.tif 000006
【図５】
2004277941.tif 000007
【図６】
2004277941.tif 000008
【図７】
2004277941.tif 000009
【図８】
2004277941.tif 000010
【図９】
2004277941.tif 000011
【図１０】
2004277941.tif 000012
【図１１】
2004277941.tif 000013
【図１２】
2004277941.tif 000014
【図１３】
2004277941.tif 000015